(57)【要約】【課題】  給水弁への異物の噛み込みを予防することができる食器洗浄機を提供する。【解決手段】  出荷時の食器洗浄機１０には、ショートサーキットホース３６が同梱されている。食器洗浄機１０の給水ホース２０と排水ホース２４をそれぞれ給水管３０と排水管３２に接続する前に、給水管３０と排水管３２をショートサーキットホース３６によって直接接続して放水する。このことによって、食器洗浄機１０を接続する前に、給水設備配管内の異物を除去することができるため、食器洗浄機１０内に異物が侵入すること自体を防止することができ、ひいては、給水弁に異物が噛み込むことによる水漏れ事故の発生をなくすことができる。【選択図】  図４
2006314602.tif 000002
【特許請求の範囲】
【請求項１】
設置予定箇所に設けられている給水管と排水管を接続するための管状部材を備えていることを特徴とする食器洗浄機。
【請求項２】
設置予定箇所に設けられている給水管と排水管を接続するための管状部材が一緒に梱包されていることを特徴とする食器洗浄機。
【請求項３】
機内に給水して機内から排水するための給排水経路と、
給排水経路から分岐して機内をバイパスするバイパス経路と、
機内に接続されている給排水経路と機内をバイパスするバイパス経路のいずれか一方を有効とする切換え手段を備えていることを特徴とする食器洗浄機。
【請求項４】
機内に給水する経路であるとともに給水側分岐経路を有する給水経路と、
給水経路の分岐部の上流側と下流側を連通させる状態と、給水経路の分岐部の上流側と給水側分岐経路を連通させる状態とを切換える給水経路切換え手段と、
機内から排水する経路であるととともに給水側分岐経路と接続される排水側分岐経路を有する排水経路と、
排水経路の分岐部の上流側と下流側を連通させる状態と、排水側分岐経路と排水経路の分岐部の下流側を連通させる状態とを切換える排水経路切換え手段を備えていることを特徴とする食器洗浄機。
【発明の詳細な説明】
【技術分野】
【０００１】
本発明は、食器洗浄機に関するものである。詳しくは、設置後に実施する試運転時に、給水管から機内に異物が侵入することを防止する食器洗浄機に関するものである。
【背景技術】
【０００２】
最近、食器洗浄機の普及率が高くなり、住宅の新築時やリフォーム時に食器洗浄機を設置することが多くなっている。新築住宅やリフォーム住宅の給水設備配管内には、工事時に生じた鉄粉等の異物が少なからず存在している。そのため、食器洗浄機を設置して試運転を行うまでに、給水設備配管内の異物を除去しておく必要がある。給水設備配管内の異物は、ある程度の流量の水を流せば容易に除去することができる。
しかし、システムキッチンに組み込まれるビルトイン型食器洗浄機の設置予定箇所には、流し台や防水パンのような設備がなく、止水栓を有する給水管と排水管が床面や壁面から突出しているだけであるため、給水管に食器洗浄機の給水ホースを接続し、排水管に食器洗浄機の排水ホースを接続するまでは、排水することができないために止水栓を開くことができない。従って、異物が除去できていないうちに食器洗浄機に給水することになる。異物が混入した水が、食器洗浄機の給水ホースを介して機内へ給水されてしまうと、給水電磁弁が異物を噛み込んでしまう可能性がある。給水電磁弁が異物を噛み込むと、弁の閉鎖不良を招き、水漏れ事故につながりかねない。しかも、ビルトイン型食器洗浄機の設置予定箇所はシステムキッチンのカウンタの下方の奥まった所であり、万が一、水漏れ事故が発生した場合、修理作業が困難となる。従って、通常は、異物の侵入を防止するために、給水ホースにフィルタを取付ける等の対策を行っている。しかし、フィルタを取付けていても機内への異物の侵入を完全に防止することは困難である。
【０００３】
そこで、給水弁に異物を噛み込むことによって給水弁の閉鎖不良が発生することを想定し、給水弁の閉鎖不良を速やかに解消しようとする技術がいくつか開示されている。例えば特許文献１の食器洗浄機では、給水弁の閉鎖不良が検出されると、所定時間、給水弁を強制的に開放するとともに排水ポンプを駆動することによって、給水弁に噛み込んでいた異物を給水で押し流して除去する。また特許文献２の食器洗浄機では、給水弁の閉鎖不良が検出されると、給水弁の開閉動作を数回繰返すことによって、給水弁に噛み込んでいた異物を除去する。
【０００４】
【特許文献１】特開２０００−１８４２９号公報
【特許文献２】特開２００１−１１２７００号公報
【発明の開示】
【発明が解決しようとする課題】
【０００５】
上記のように、特許文献１や特許文献２の技術は、給水弁に異物が噛み込んだときに、異物の噛み込みを解消する技術を提案している。しかしながら、特許文献１や特許文献２の技術によっても、噛み込んだ異物が除去されない場合がある。噛み込みが発生してから対策するのではなく、噛み込みの発生を予防する技術が必要とされている。
本発明は、給水弁への異物の噛み込みを予防することができる食器洗浄機を提供することを目的とする。
【課題を解決するための手段】
【０００６】
本発明の食器洗浄機は、設置予定箇所に設けられている給水管と排水管を接続するための管状部材を備えていることを特徴とする。
新築住宅やリフォーム住宅の給水設備配管内の異物は、放水することによって容易に除去することができる。しかし、システムキッチンに組み込まれるビルトイン型食器洗浄機と接続するための給水管からは、食器洗浄機を接続した後しか放水することができないため、食器洗浄機の試運転時に異物の混入した水を給水してしまい、給水弁が異物を噛み込んでしまうことがあった。
本発明では、給水管と排水管とを接続するための管状部材を備えている。管状部材の典型例は、合成ゴム製のホースである。給水管と排水管を食器洗浄機に接続する前に、管状部材によって給水管と排水管とを直接接続して放水する。このことによって、給水設備配管に食器洗浄機を接続する前に、給水設備配管内の異物を除去することができる。本発明によれば、食器洗浄機内に異物の混入した水を給水すること自体を防止することができる。
【０００７】
本発明の食器洗浄機は、設置予定箇所に設けられている給水管と排水管を接続するための管状部材が一緒に梱包されていることを特徴とする。
本発明では、食器洗浄機の出荷時に、食器洗浄機とともに、給水管と排水管とを接続するための管状部材が一緒に梱包されている。このため、給水設備配管に食器洗浄機を接続する前に、管状部材によって給水管と排水管とを直接接続して放水する作業を速やかに行い、給水設備配管内の異物を除去することができる。本発明によれば、食器洗浄機内に異物の混入した水を給水すること自体を防止することができる。
【０００８】
本発明の別の食器洗浄機は、機内に給水して機内から排水するための給排水経路と、給排水経路から分岐して機内をバイパスするバイパス経路と、機内に接続されている給排水経路と機内をバイパスするバイパス経路のいずれか一方を有効とする切換え手段を備えていることを特徴とする。
本発明では、食器洗浄機内を通過する給排水経路と、食器洗浄機をバイパスするバイパス経路とを切換えることができる。給水管と排水管に給排水経路を接続した後、食器洗浄機の設置後の初運転（試運転）を行う前に、バイパス経路を利用して放水する。このことによって、食器洗浄機の試運転を行う前に、給水設備配管内の異物を除去することができる。本発明によれば、食器洗浄機内に異物の混入した水を給水すること自体を防止することができる。
【０００９】
本発明のもう１つの食器洗浄機は、機内に給水する経路であるとともに給水側分岐経路を有する給水経路と、給水経路の分岐部の上流側と下流側を連通させる状態と、給水経路の分岐部の上流側と給水側分岐経路を連通させる状態とを切換える給水経路切換え手段と、機内から排水する経路であるととともに給水側分岐経路と接続される排気側分岐経路を有する排水経路と、排水経路の分岐部の上流側と下流側を連通させる状態と、排水側分岐経路と排水経路の分岐部の下流側とを連通させる状態とを切換える排水経路切換え手段を備えていることを特徴とする。
本発明では、給水経路切換え手段を給水経路の分岐部の上流側と下流側を連通させる状態とし、排水経路切換え手段を排水経路の分岐部の上流側と下流側を連通させる状態とすることによって、食器洗浄機内を通過する給排水経路が形成される。また、給水側分岐経路と排水側分岐経路とを接続し、給水経路切換え手段を給水経路の分岐部の上流側と給水側分岐経路を連通させる状態とし、排水経路切換え手段を排水側分岐経路と排水経路の分岐部の下流側とを連通させる状態とすることによって、食器洗浄機をバイパスするバイパス経路が形成される。給水管と排水管のそれぞれに給水経路と排水経路を接続した後、食器洗浄機の設置後の初運転（試運転）を行う前に、バイパス経路を利用して放水することによって、食器洗浄機の試運転を行う前に、給水設備配管内の異物を除去することができる。本発明によれば、食器洗浄機内に異物の混入した水を給水すること自体を防止することができる。
【発明の効果】
【００１０】
本発明によれば、異物の混入した水を給水すること自体を予防することができるため、給水弁の異物の噛み込みをなくすことができる。ひいては、給水の異物の噛み込みに起因する水漏れ事故をなくすことができる。
【発明を実施するための最良の形態】
【００１１】
以下、本発明の好適な実施形態を説明する。
（１）システムキッチンに組み込まれるビルトイン型食器洗浄機である。
（２）給水管と排水管とを接続する管状部材は、径方向に多少伸長可能な部材であり、給水管の端部の径と排水管の端部の径が異なっていても液密に接続することができる。
（３）給水経路は給水ホースであり、排水経路は排水ホースである。
（４）給水側分岐経路の端部を排水側分岐経路の端部に挿入することによって、液密に接続することができる。
【実施例】
【００１２】
（実施例１）
本発明を具現化した第１実施例について、図面を参照しながら説明する。
食器洗浄機１０はシステムキッチンに組み込まれる引き出し式の食器洗浄機である。図１に示すように、食器洗浄機１０の本体１２の背面１４からは、電源コード１８、給水ホース２０、排水ホース接続部２２が突出している。食器洗浄機１０は、カウンタ８と、引き出しを収容する収納キャビネット２８との間の空間に収容される。図１の収納キャビネット２８は、引き出しが抜き取られた状態で図示されている。食器洗浄機１０を備え付けるとき、まず、排水ホース接続部２２に排水ホース２４の一端を接続し、食器洗浄機１０を収納キャビネット２８の天板上に仮置きし、コンセント１６に電源コード１８を差し込む。次に、給水ホース２０と排水ホース２４を、収納キャビネット２８と後方の壁面２６との隙間に通し、収納キャビネット２８の下側を後方から前方へ通した後、食器洗浄機１０を所定の位置に設置する。
【００１３】
収納キャビネット２８の下側の床面からは、図２に示すように、給水管３０と排水管３２が突出している。給水管３０は、床面と平行に手前に伸びており、接続部３０ａは排水管３２側に向いている。給水管３０の端部に止水栓３０ｂを備えている。排水管３２は、床面と平行に手前に伸びており、端部に形成されている排水ホースの接続部３２ａは給水管３０側に向いている。
次に、図３に示すように、給水管３０の接続部３０ａには、食器洗浄機１０の給水ホース２０の先端部を接続し、排水管３２の接続部３２ａには、食器洗浄機１０の排水ホース２４の先端部を接続ジョイント３４を用いて接続する。給水ホース２０と排水ホース２４の接続が完了すれば、止水栓３０ａを開く。この状態で、食器洗浄機１０を運転させることができる。
【００１４】
新築住宅やリフォーム住宅の場合、給水設備配管内に、工事時に生じた鉄粉等の異物が少なからず存在している。給水設備配管内の異物は、ある程度の流量の水を放水してしまえば容易に除去することができる。しかし、食器洗浄機１０のような、システムキッチンに組み込まれるビルトイン型食器洗浄機を設置する箇所では、流し台や防水パン等の設備のない床面から、図２のように給水管３０と排水管３２が突出しているため、給水管３０と排水管３２に食器洗浄機１０を接続しない状態で止水栓３０ａを開くことができない。従って、これまでは、給水設備配管内の異物の除去作業（放水）を行うことなく、給水管３０と排水管３２に食器洗浄機１０を接続するほかなかった。給水管３０の接続部３０ａに給水ホース２０を接続するときに、図示しないフィルタつきのパッキンを取り付け、異物が食器洗浄機１０内に侵入することを抑制していたが、完全に防止することはできなかった。給水弁が異物を噛み込んでしまい、給水弁の閉鎖不良が発生すると、水漏れ事故を招くおそれがある。
【００１５】
上記の不具合を解消するため、出荷時の食器洗浄機１０には、ショートサーキットホース３６が同梱されている。給水管３０と排水管３２に食器洗浄機１０を接続する前に、図４に示すように、ショートサーキットホース３６の各端部をそれぞれ給水管３０の接続部３０ａと排水管３２の接続部３２ａに取付ける。ショートサーキットホース３６は、エチレン−プロピレン−ジエンゴム（ＥＰＤＭ）等の合成ゴム製のホースであり、径の異なる、給水管３０の接続部３０ａと排水管３２の接続部３２ａの何れにも取付けることができる径のものを使用している。設置工事説明書内には、必ず食器洗浄機１０の設置前に、ショートサーキットホース３６の各端部をそれぞれ給水管３０の接続部３０ａと排水管３２の接続部３２ａに取付けて所定時間（約１分）以上放水するように指示されている。
【００１６】
上記によれば、給水管３０と排水管３２にショートサーキットホース３６を接続することによって、食器洗浄機１０を接続することなく、止水栓３０ｂを開いて放水することができる。食器洗浄機１０を接続する前に、給水設備配管内の異物を除去することができるため、食器洗浄機１０内に異物が侵入すること自体を防止することができる。従って、給水弁に異物が噛み込むことによる水漏れ事故の発生をなくすことができる。
【００１７】
（実施例２）
本発明を具現化した第２実施例について、図面を参照しながら説明する。本実施例の食器洗浄機は、第１実施例の食器洗浄機１０と、給水ホース２０と排水ホース２４の形状が異なっている。従って、ここでは、主に本実施例と第１実施例とが相違する点について説明するにとどめ、同様の点については説明を割愛する。また、本実施例と第１実施例に共通の部材については、同一の符号を用いることとする。
図５に示すように、給水ホース１２０の端部近傍から、給水側分岐管１２０ａが垂直に分岐している。給水側分岐管１２０ａの分岐部には、経路を切換えるための分岐栓１２０ｂが取付けられている。図５のように、分岐栓１２０ｂの操作レバーが上向きの状態であると、給水ホース１２０の端部側（Ａとする）と給水側分岐管１２０ａ側（Ｃとする）とが連通する。一方、分岐栓１２０ｂの操作レバーが、食器洗浄機側に９０°倒れた横向きの状態であると、給水ホース１２０の端部側（Ａ）と食器洗浄機側（Ｂとする）とが連通する。
また、排水ホース１２４の端部近傍から、排水側分岐管１２４ａが垂直に分岐している。排水側分岐管１２４ａの分岐部には、経路を切換えるための分岐栓１２４ｂが取付けられている。図５のように、分岐栓１２４ｂの操作レバーが上向きの状態であると、給水側分岐管１２０ａ側（Ｆとする）と排水ホース１２４の端部側（Ｅとする）とが連通する。一方、分岐栓１２４ｂの操作レバーが、排水ホース１２４の端部側に９０°倒れた横向きの状態であると、排水ホース１２４の食器洗浄機側（Ｄとする）と端部側（Ｅ）とが連通する。
給水ホース１２０の給水側分岐管１２０ａの端部は、排水ホース１２４の排水側分岐管１２４ａの端部に挿入されることによって液密に接続される。以降では、給水ホース１２０の給水側分岐管１２０ａと排水ホース１２４の排水側分岐管１２４ａが接続されて形成される管をバイパス管１２６と言うこととする。
【００１８】
図５のように、分岐栓１２０ｂの操作レバーと分岐栓１２４ｂの操作レバーがいずれも上向きの状態であるときの経路を図６の模式図に示す。分岐栓１２０ｂの操作レバーが上向きであるとＡとＣが連通し、分岐栓１２４ｂの操作レバーが上向きであるとＦとＥが連通する。従って、止水栓３０ｂを開くと、水は、給水管３０から順に、給水ホース１２０の端部側、バイパス管１２６、排水ホース１２４の端部側を経て排水管３２に導入されて排水される。
分岐栓１２０ｂの操作レバーと分岐栓１２４ｂの操作レバーが横向きの状態であるときの経路を図７の模式図に示す。分岐栓１２０ｂの操作レバーが横向きであるとＡとＢが連通し、分岐栓１２４ｂの操作レバーが横向きであるとＤとＥが連通する。従って、止水栓３０ｂを開くと、水は、給水管３０から順に、給水ホース１２０の端部側、給水ホース１２０の食器洗浄機側、食器洗浄機内、排水ホース１２４の食器洗浄機側、排水ホース１２４の端部側を経て排水管３２に導入されて排水される。
【００１９】
上記によれば、給水管３０に給水ホース１２０を接続し、排水管３２に排水ホース１２４を接続しても、分岐栓１２０ｂの操作レバーと分岐栓１２４ｂの操作レバーを上向きの状態にしておけば、給水管３０から給水された水を、食器洗浄機をバイパスさせて排水管３２へ排水することができる。食器洗浄機を運転させる時は、分岐栓１２０ｂの操作レバーと分岐栓１２４ｂの操作レバーを横向きの状態に変える。食器洗浄機を接続した後であっても、食器洗浄機を運転させる前に、給水設備配管内の異物を除去することができるため、食器洗浄機内に異物が侵入すること自体を防止することができる。従って、給水弁に異物が噛み込むことによる水漏れ事故の発生をなくすことができる。
上記の実施例は、機内に給水して機内から排水するための給排水経路と、給排水経路から分岐して機内をバイパスするバイパス経路と、機内に接続されている給排水経路と機内をバイパスするバイパス経路のいずれか一方を有効とする切換え手段を備えている技術の実施例であるということができる。
【００２０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
第１実施例のショートサーキットホースは、食器洗浄機と一緒に梱包されているものであったが、食器洗浄機を設置する前に給水管と排水管とを接続して給水設備配管内の異物を除去するための管状部材が用意されているのであれば、その管状部材が、食器洗浄機と別々に梱包されていたり、別売りの部材であったりしてもよい。
第１実施例のショートサーキットホースは透明な部材であってもよい。ショートサーキットホースが透明であると、ショートサーキットホースを接続して放水するときに、異物の通過を視認することができる。
第２実施例では、給水ホース１２０に給水側分岐管１２０ａと分岐栓１２０ｂが形成され、排水ホース１２４に排水側分岐管１２４ａと分岐栓１２４ｂが形成されており、給水側分岐管１２０ａと排水側分岐管１２４ａを接続することによってバイパス管１２６が形成される構成であったが、本発明では、機内を通過する給排水経路と、給排水経路から分岐して機内をバイパスするバイパス経路と、給排水経路とバイパス経路のいずれか一方を有効とする切換え手段を備える構成であればよく、例えば、バイパス管１２６と分岐栓１２０ｂ，１２４ｂに相当する部材がユニット化しており、このユニットに給水ホース１２０と排水ホース１２４を接続したものを、給水管３０と排水管３２に接続する構成であってもよい。
第２実施例では、給水側分岐管１２０ａを排水側分岐管１２４ａに挿入すれば液密に接続できる構成であったが、給水側分岐管１２０ａと排水側分岐管１２４ａの接続形態については、これに限られない。例えば、別途接続ジョイント等を用いて接続するものであってもよい。
第２実施例では、食器洗浄機を通過する経路とバイパスする経路とを切換えるために、分岐栓１２０ｂ，１２４ｂを利用していたが、経路の切換え手段については、これに限られない。例えば、分岐栓１２４ｂを設けることに替えて、排水ホース１２４の分岐部の上流側（食器洗浄機側）に逆止弁を設け、バイパス管１２６からの水が排水ホース１２４を逆流することを防止する構成であってもよい。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００２１】
【図１】食器洗浄機の外観側面図。
【図２】給水管および排水管の斜視図。
【図３】給水管および排水管に接続された第１実施例の給水ホースおよび排水ホースの斜視図。
【図４】給水管と排水管に接続されたショートサーキットホースの斜視図。
【図５】給水管および排水管に接続された第２実施例の給水ホースおよび排水ホースの斜視図。
【図６】第２実施例のバイパス経路を示す模式図。
【図７】第２実施例の給水経路及び排水経路を示す模式図。
【符号の説明】
【００２２】
８：カウンタ
１０：食器洗浄機
１２：本体
１４：背面
１６：コンセント
１８：電源コード
２０：給水ホース
２２：接続部
２４：排水ホース
２６：壁面
２８：収納キャビネット
３０：給水管、３０ａ：先端部、３０ｂ：止水栓
３２：排水管、３２ａ：接続部
３４：接続ジョイント
３６：ショートサーキットホース
１２０：給水ホース、１２０ａ：給水側分岐管、１２０ｂ：分岐栓
１２４：排水ホース、１２４ａ：排水側分岐管、１２４ｂ：分岐栓
１２６：バイパス管
【図１】
2006314602.tif 000003
【図２】
2006314602.tif 000004
【図３】
2006314602.tif 000005
【図４】
2006314602.tif 000006
【図５】
2006314602.tif 000007
【図６】
2006314602.tif 000008
【図７】
2006314602.tif 000009